(57)【要約】【課題】シンプルな構成によりコンソールリッドにスライドおよび回動を発現し得ると共に、部品点数を減らしてコスト低減および省スペース化を図る。【解決手段】コンソールリッド３０は、揺動連結部材４０によりコンソール本体１０に連結される。揺動連結部材４０は、第１連結部４２によりコンソールリッド３０を回動可能に支持すると共に、第２連結部４４によりコンソール本体１０に対して揺動可能に支持される。また揺動連結部材４０は、揺動規定部４６により第１連結部４２の移動軌跡が規定されるように揺動変位し、コンソールリッド３０を閉成位置、開閉中途位置および開放位置間において一定軌跡で姿勢変位させる。更にコンソール本体１０は、閉成位置と開閉中途位置との間にあるコンソールリッド３０が該コンソール本体１０に対して回動するのを規制するリッド載置面１４を備える。【選択図】図１
2008137397.tif 000002
【特許請求の範囲】
【請求項１】
物品収納部を画成したコンソール本体と、前記コンソール本体の上部に配設されて前記物品収納部を開閉するコンソールリッドとを備え、前記コンソールリッドが、前記物品収納部を閉成する閉成位置と、前記閉成位置からコンソール本体に沿ってスライドした開閉中途位置と、前記開閉中途位置からコンソール本体に対し回動して前記物品収納部を開放する開放位置との間で変位するよう構成したコンソールリッドの開閉機構であって、
前記コンソールリッドおよび前記コンソール本体を連結する連結部材と、
前記連結部材を前記コンソールリッドに対して回動可能に支持する第１連結部と、
前記連結部材を前記コンソール本体に対して揺動可能に支持し、前記コンソールリッドが閉成位置にある場合に該連結部材が第１位置に臨むと共に該コンソールリッドが開放位置にある場合に該連結部材が第２位置に臨むのを許容する第２連結部と、
前記コンソール本体に対して前記連結部材が前記第１位置と第２位置との間を揺動する際の前記第１連結部の移動軌跡を規定し、前記コンソールリッドを前記閉成位置、開閉中途位置および開放位置間において一定軌跡で姿勢変位させる揺動規定部と、
前記閉成位置と前記開閉中途位置との間にある前記コンソールリッドが前記コンソール本体に対して回動するのを規制する回動規制部とを備え、
前記揺動規定部は、第１支持部と、該第１支持部が相対的に摺動して、前記第１連結部をコンソール本体の上面に沿って移動させるガイド部とを有し、
前記第２連結部は、前記連結部材の揺動中心としての第２支持部と、前記第１連結部の移動時に前記第２支持部が相対的に摺動して、該第１連結部と第２支持部との距離が変化するのを許容するスライド溝部とを有するよう構成した
ことを特徴とするコンソールリッドの開閉機構。
【請求項２】
前記揺動規定部は、前記ガイド部に連設されて前記第１支持部が相対的に摺動し、前記第１連結部をコンソール本体から離間しながら移動させる第２のガイド部を有する請求項１記載のコンソールリッドの開閉機構。
【請求項３】
前記連結部材と前記コンソールリッドとの間に、所定の摩擦力により該連結部材に対して該コンソールリッドを回動可能に姿勢保持させる摩擦支持手段を設けた請求項１または２記載のコンソールリッドの開閉機構。
【請求項４】
前記連結部材と前記コンソールリッドとの間に、該コンソールリッドを開放位置方向へ付勢する回動付勢手段を設けた請求項１または２記載のコンソールリッドの開閉機構。
【請求項５】
前記第２支持部は前記コンソール本体に突設し、前記スライド溝部は前記連結部材に設けた請求項１〜４の何れか一項に記載のコンソールリッドの開閉機構。
【請求項６】
前記第１支持部は前記連結部材に突設し、前記ガイド部は前記コンソール本体に設けた請求項１〜４の何れか一項に記載のコンソールリッドの開閉機構。
【請求項７】
前記連結部材と前記コンソール本体との間に揺動付勢手段を設け、前記揺動付勢手段は、前記コンソールリッドが前記閉成位置と前記開閉中途位置との間において該閉成位置に近接した位置にある場合は前記連結部材を前記第１位置方向へ付勢し、前記コンソールリッドが前記閉成位置と前記開閉中途位置との間において該開閉中途位置に近接した位置にある場合は前記連結部材を前記第２位置方向へ付勢する請求項１〜６の何れか一項に記載のコンソールリッドの開閉機構。
【請求項８】
前記連結部材と前記コンソール本体との間に揺動付勢手段を設け、前記揺動付勢手段は、前記コンソールリッドが前記閉成位置と前記開閉中途位置との間にある場合は前記連結部材を前記第１位置方向へ付勢し、前記コンソールリッドが前記開閉中途位置と前記開放位置との間にある場合は前記連結部材を前記第２位置方向へ付勢する請求項１〜６の何れか一項に記載のコンソールリッドの開閉機構。
【発明の詳細な説明】
【技術分野】
【０００１】
本発明は、コンソールリッドの開閉機構に関し、更に詳細には、物品収納部を画成したコンソール本体と、前記コンソール本体の上部に配設されて前記物品収納部を開閉するコンソールリッドとを備え、前記コンソールリッドが、前記物品収納部を閉成する閉成位置と、前記閉成位置からコンソール本体に沿ってスライドした開閉中途位置と、前記開閉中途位置からコンソール本体に対し回動して前記物品収納部を開放する開放位置との間で変位するよう構成したコンソールリッドの開閉機構に関するものである。
【背景技術】
【０００２】
セダンタイプやステーションワゴンタイプ等の自動車では、車内における前部座席間(運転席と助手席との間)のフロアに、フロアコンソールを設置した車種が多い。このフロアコンソールは、インジェクション成形部材である合成樹脂製のコンソール本体を主体とし、このコンソール本体には上方へ開口する物品収納部が設けられており、小間物を出し入れ可能に収納し得るようになっている。そして、コンソール本体の上部には、物品収納部の上部開口部を開閉するコンソールリッドが配設されており、このコンソールリッドを姿勢変位させることで物品収納部の上部開口部を開閉することができる。
【０００３】
コンソールリッドの開閉態様は、種々のタイプが提案・実施されており、次の(ａ)〜(ｃ)の３タイプに大別することができる。すなわち、(ａ)コンソールリッドがコンソール本体に対して回動可能に配設された回動機構タイプ、(ｂ)コンソールリッドがコンソール本体に対してスライド可能に配設されたスライド機構タイプ、(ｃ)コンソールリッドがコンソール本体に対してスライドおよび回動可能に配設されたスライド・回動機構タイプ、等である。近年においては、開放させたコンソールリッドの上方への跳ね上げおよび後方への迫り出しを小さくできる(ｃ)のスライド・回動機構タイプのフロアコンソールが多く提案されている。なお、スライド・回動機構タイプは、例えば特許文献１に開示されている。
【特許文献１】特開２００６−１５１２９３号公報
【発明の開示】
【発明が解決しようとする課題】
【０００４】
ところで、特許文献１等に開示された従来のスライド・回動機構タイプのリッド開閉機構の場合、コンソールリッドにスライドおよび回動の各変位を発現させるための開閉機構として、多数の部材から構成されたターン機構やスライド機構等を採用しており、部品点数増加および組立工数増加によるコストアップを招来する問題を内在していた。また、コンソール本体に開閉機構を収容するための大きなスペースを確保する必要があるため、物品収納部の容積が減少する不都合等もあった。更に、開閉機構の構造が複雑であることに起因して、コンソールリッドの開閉操作を繰り返すと可動部分の動きが悪くなり、該コンソールリッドの開閉不良を起こし易い課題も指摘される。
【０００５】
そこで本発明では、シンプルな構成によりコンソールリッドにスライドおよび回動を発現し得ると共に、部品点数を減らしてコスト低減および省スペース化を図り得るようにしたコンソールリッドの開閉機構を提供することを目的とする。
【課題を解決するための手段】
【０００６】
前記課題を解決し、所期の目的を達成するため、請求項１に記載の発明は、物品収納部を画成したコンソール本体と、前記コンソール本体の上部に配設されて前記物品収納部を開閉するコンソールリッドとを備え、前記コンソールリッドが、前記物品収納部を閉成する閉成位置と、前記閉成位置からコンソール本体に沿ってスライドした開閉中途位置と、前記開閉中途位置からコンソール本体に対し回動して前記物品収納部を開放する開放位置との間で変位するよう構成したコンソールリッドの開閉機構であって、
前記コンソールリッドおよび前記コンソール本体を連結する連結部材と、
前記連結部材を前記コンソールリッドに対して回動可能に支持する第１連結部と、
前記連結部材を前記コンソール本体に対して揺動可能に支持し、前記コンソールリッドが閉成位置にある場合に該連結部材が第１位置に臨むと共に該コンソールリッドが開放位置にある場合に該連結部材が第２位置に臨むのを許容する第２連結部と、
前記コンソール本体に対して前記連結部材が前記第１位置と第２位置との間を揺動する際の前記第１連結部の移動軌跡を規定し、前記コンソールリッドを前記閉成位置、開閉中途位置および開放位置間において一定軌跡で姿勢変位させる揺動規定部と、
前記閉成位置と前記開閉中途位置との間にある前記コンソールリッドが前記コンソール本体に対して回動するのを規制する回動規制部とを備え、
前記揺動規定部は、第１支持部と、該第１支持部が相対的に摺動して、前記第１連結部をコンソール本体の上面に沿って移動させるガイド部とを有し、
前記第２連結部は、前記連結部材の揺動中心としての第２支持部と、前記第１連結部の移動時に前記第２支持部が相対的に摺動して、該第１連結部と第２支持部との距離が変化するのを許容するスライド溝部とを有するよう構成したことを要旨とする。
【０００７】
従って、請求項１に係る発明によれば、連結部材が第１位置と第２位置との間で揺動変位することで、コンソールリッドをコンソール本体に対しスライドおよび回動させることができる。すなわち、連結部材が揺動変位するだけのシンプルな構成なので、部品点数削減および組立工数削減によるコストダウンを図り得る。更に、コンソール本体に連結部材を収容するための収容空間部を狭小に形成することができ、物品収納部の容積を大きく確保することができる。
【０００８】
請求項２に記載の発明は、請求項１記載の発明において、前記揺動規定部は、前記ガイド部に連設されて前記第１支持部が相対的に摺動し、前記第１連結部をコンソール本体から離間しながら移動させる第２のガイド部を有することを要旨とする。
従って、請求項２に係る発明によれば、コンソールリッドがコンソール本体に対して回動するに際して該コンソール本体に干渉することが回避され、コンソールリッドの回動が適切に実現される。
【０００９】
請求項３に記載の発明は、請求項１または２記載の発明において、前記連結部材と前記コンソールリッドとの間に、所定の摩擦力により該連結部材に対して該コンソールリッドを回動可能に姿勢保持させる摩擦支持手段を設けたことを要旨とする。
従って、請求項３に係る発明によれば、コンソールリッドを、連結部材に対して回動させ得ると共に任意の角度位置に停止保持させ得る。
【００１０】
請求項４に記載の発明は、請求項１または２記載の発明において、前記連結部材と前記コンソールリッドとの間に、該コンソールリッドを開放位置方向へ付勢する回動付勢手段を設けたことを要旨とする。
従って、請求項４に係る発明によれば、コンソールリッドの回動が許容される際は、該コンソールリッドが開放位置方向へ積極的に回動するようになり、コンソールリッドの開放操作の容易化が図られる。
【００１１】
請求項５に記載の発明は、請求項１〜４の何れか一項に記載の発明において、前記第２支持部は前記コンソール本体に突設し、前記スライド溝部は前記連結部材に設けたことを要旨とする。
従って、請求項５に係る発明によれば、連結部材の揺動中心となる第２連結部を、ピンと溝とからなる簡単な構造として構成することができる。
【００１２】
請求項６に記載の発明は、請求項１〜４の何れか一項に記載の発明において、前記第１支持部は前記連結部材に突設し、前記ガイド部は前記コンソール本体に設けたことを要旨とする。
従って、請求項６に係る発明によれば、連結部材の揺動変位を規定する揺動規定部を、ピンと溝とからなる簡単な構造として構成することができる。
【００１３】
請求項７に記載の発明は、請求項１〜６の何れか一項に記載の発明において、前記連結部材と前記コンソール本体との間に揺動付勢手段を設け、前記揺動付勢手段は、前記コンソールリッドが前記閉成位置と前記開閉中途位置との間において該閉成位置に近接した位置にある場合は前記連結部材を前記第１位置方向へ付勢し、前記コンソールリッドが前記閉成位置と前記開閉中途位置との間において該開閉中途位置に近接した位置にある場合は前記連結部材を前記第２位置方向へ付勢することを要旨とする。
従って、請求項７に係る発明によれば、コンソールリッドを開放させる際は、該コンソールリッドが開閉中途位置に近づくとスライドがアシストされ、またコンソールリッドを閉成する際は、該コンソールリッドが閉成位置に近づくとスライドがアシストされ、コンソールリッドの開閉操作が容易となる。
【００１４】
請求項８に記載の発明は、請求項１〜６の何れか一項に記載の発明において、前記連結部材と前記コンソール本体との間に揺動付勢手段を設け、前記揺動付勢手段は、前記コンソールリッドが前記閉成位置と前記開閉中途位置との間にある場合は前記連結部材を前記第１位置方向へ付勢し、前記コンソールリッドが前記開閉中途位置と前記開放位置との間にある場合は前記連結部材を前記第２位置方向へ付勢することを要旨とする。
従って、請求項８に係る発明によれば、コンソールリッドを開放させる際は、該コンソールリッドの開閉中途位置から開放位置への回動がアシストされ、またコンソールリッドを閉成する際は、該コンソールリッドの開閉中途位置からが閉成位置への回動がアシストされ、コンソールリッドの開閉操作が容易となる。
【発明の効果】
【００１５】
本発明に係るコンソールリッドの開閉機構によれば、シンプルな構成によりコンソールリッドにスライドおよび回動を発現し得ると共に、部品点数が少ないのでコスト低減および省スペース化を図り得る。
【発明を実施するための最良の形態】
【００１６】
次に、本発明に係るコンソールリッドの開閉機構につき、好適な実施例を挙げて、添付図面を参照しながら以下説明する。なお実施例では、車両乗員室内のフロアに設置させるフロアコンソールに、コンソールリッドの開閉機構(以下、「リッド開閉機構」という)を実施した場合について説明する。なお実施例では、図１の左右方向をフロアコンソールの前後方向(左方向が前方向)とし、図２の左右方向をフロアコンソールの左右方向(左方向が左方向)とする。
【実施例】
【００１７】
(第１実施例)
図１は、第１実施例のリッド開閉機構を設けたフロアコンソールを、コンソールリッドが閉成位置に臨んだ状態で示した一部破断側面図であり、図２は、図５のII−II線断面図である。また図３は、リッド開閉機構における揺動連結部材の揺動態様を規定する第２連結部および揺動規定部を示した説明図であり、図４は、第１連結部を示した説明断面図である。更に図５は、第１実施例のリッド開閉機構を設けたフロアコンソールを、コンソールリッドが閉成位置から開閉中途位置に姿勢変位する途中状態で示した一部破断側面図であり、図６は、第１実施例のリッド開閉機構を設けたフロアコンソールを、コンソールリッドが開閉中途位置へ姿勢変位した状態で示した一部破断側面図であり、図７は、第１実施例のリッド開閉機構を設けたフロアコンソールを、コンソールリッドが開放中途位置から開放位置へ姿勢変位した状態で示した一部破断側面図である。
【００１８】
第１実施例のフロアコンソールＦＣは、上方に開口する物品収納部１２を画成したコンソール本体１０と、該コンソール本体１０の上部に配設され、該物品収納部１２の上部開口部１２Ａを開閉するよう配設されたコンソールリッド３０とを備えている。そしてコンソールリッド３０は、物品収納部１２の上部開口部１２Ａを閉成する閉成位置(図１)と、閉成位置からコンソール本体１０に沿って後方側へスライドした開閉中途位置(図６)と、開閉中途位置からコンソール本体１０に対し後方側へ回動して物品収納部１２の上部開口部１２Ａを開放する開放位置(図７)との間で姿勢変位するよう構成されている。
【００１９】
コンソール本体１０は、例えばポリプロピレン(ＰＰ)等の合成樹脂素材からインジェクション成形された合成樹脂製の成形部材であって、外部意匠面を形成するアウター部材１６と、このアウター部材１６の内部後側部分に収容設置されて前述した物品収納部１２を画成するインナー部材１８とから構成される。アウター部材１６は、デザインにより複数の構成部品を組み合わせて形成される場合もある。そして、コンソール本体１０の図示省略した前側部分は、チェンジレバーやドリンクホルダ等の配設部とされ、前端部分が図示しないインストルメントパネルの中央下部に連結される。また、物品収納部１２における上部開口部１２Ａの周囲が、後述するようにコンソールリッド３０の回動を規制する回動規制部としても機能するリッド載置面１４となり、このリッド載置面１４における前側部分には、後方を指向する係止受部２０が設けられている。
【００２０】
アウター部材１６とインナー部材１８との間に臨むコンソール本体１０の上面(リッド載置面１４)には、図２に示すように、物品収納部１２の上部開口部１２Ａを挟む左右両側に、前後方向に延在するスリット２２,２２が形成され、各々のスリット２２,２２は、アウター部材１６とインナー部材１８との間に画成された左右の狭小の収容空間部２４,２４に連通している。この収容空間部２４,２４は、リッド開閉機構を構成する後述の揺動連結部材(連結部材)４０を揺動可能に格納するスペースとして機能する。
【００２１】
コンソールリッド３０は、例えばポリプロピレン(ＰＰ)等の合成樹脂素材からインジェクション成形され、前述したリッド載置面１４に整合し得る形状・サイズとされたリッド部材３２と、このリッド部材３２の外面(上面)に配設される弾力部材３４と、この弾力部材３４を被覆する表皮材３６とから基本的に構成されている。すなわち、弾力部材３４および表皮材３６を配設することで触感向上および質感向上が図られ、閉成位置に保持されている状態で前部座席を利用する乗員のアームレストとしての機能を併有するようになっている。なおコンソールリッド３０は、前述したリッド部材３２だけで構成されることもある。
【００２２】
リッド部材３２の前端部分には、リッド開閉操作時に指先を掛ける指掛部３８が設けられている。また、リッド部材３２の裏面前側部分には、リッド載置面１４の前側部分に突設された前述の係止受部２０に係脱可能に係止する鈎状の係止部３９が、前方を指向した状態で突設されている。係止部３９は、指掛部３８に設けたレバー３７と連繋機構(図示せず)を介して連繋しており、該レバー３７を操作することで係止受部２０との係合が解除されるように構成されている。従って、コンソールリッド３０が閉成位置に臨んでいる際には、図１に示すように、係止部３９が係止受部２０へ係止されるため、該コンソールリッド３０が不用意に開放方向へ姿勢変位することが防止される。そして、コンソールリッド３０を開放させるに際しては、指掛部３８に指を掛ける際にレバー３７を操作して係止部３９と係止受部２０との係止状態を解除させることで、該コンソールリッド３０の開放が許容されるようになっている。
【００２３】
次に、コンソールリッド３０をコンソール本体１０に対して開閉可能に支持するリッド開閉機構について説明する。第１実施例のリッド開閉機構は、図１〜図４に示すように、コンソールリッド３０およびコンソール本体１０(インナー部材１８)を連結する揺動連結部材(連結部材)４０と、揺動連結部材４０をコンソールリッド３０に対して回動可能に支持する第１連結部４２と、揺動連結部材４０をコンソール本体１０に対して揺動可能に支持する第２連結部４４とを備えている。更にリッド開閉機構は、コンソール本体１０に対して揺動連結部材４０が揺動する際の第１連結部４２の移動軌跡を規定する揺動規定部４６と、閉成位置と開閉中途位置との間にあるコンソールリッド３０がコンソール本体１０に対して回動するのを規制する回動規制部として前述のリッド載置面１４とを備えている。
【００２４】
揺動連結部材４０は、帯板状の細長部材であって、インナー部材１８の左右両側に画成された各収容空間部２４に夫々１つずつが配設され、コンソールリッド３０に連結される上端部分だけがスリット２２を介してリッド載置面１４から外方(上方)へ突出している。そして各揺動連結部材４０は、第２連結部４４および揺動規定部４６が後述するように連繋的に機能することにより、コンソールリッド３０が閉成位置にある場合には第１位置である前傾姿勢位置に臨み(図１、図３)、該コンソールリッド３０が開閉中途位置および開放位置にある場合には第２位置である後傾姿勢位置に臨むようになり(図６、図７)、コンソールリッド３０の開閉に連動して前傾姿勢位置および後傾姿勢位置の間で揺動変位する。なお、揺動連結部材４０、第１連結部４２、第２連結部４４および揺動規定部４６は、左右で同一構成となっているので、同一部材には同一符号を付すこととする。
【００２５】
第１連結部４２は、図４に示すように、リッド部材３２に設けた回動支持軸６０と、揺動連結部材４０の上端部分に穿設した回動支持孔６２とから構成されている。回動支持軸６０は、リッド部材３２における左側端縁および右側端縁に形成された側端リブ３２Ａ,３２Ｂ(図２参照)に、該リッド部材３２の裏面と平行となるよう内側から突入した状態で固定されている。また回動支持孔６２は、各揺動連結部材４０の上端部分において、回動支持軸６０が遊嵌状態で挿通し得る内径寸法に設定されている。従って各揺動連結部材４０は、回動支持孔６２へ回動支持軸６０を挿通させることで、リッド部材３２の裏面から垂下した状態で枢支されている。
【００２６】
第２連結部４４は、揺動連結部材４０の揺動中心として機能する揺動支持ピン(第２支持部)５０と、この揺動支持ピン５０が相対的に摺動して、第１連結部４２と該揺動支持ピン５０との距離が変化するのを許容する支持ピン案内溝５２とを有している。揺動支持ピン５０は、インナー部材１８の左右両側における後方側の上下略中央部分において、外方へ水平に突出した状態で該インナー部材１８に突設されている。また支持ピン案内溝５２は、揺動連結部材４０の下側部分において、該揺動連結部材４０の長手方向に所要長さで延在するよう設けられている。従って揺動連結部材４０は、インナー部材１８に固定された揺動支持ピン５０を支持ピン案内溝５２に摺動自在に係合することで、当該揺動連結部材４０の下側部分がインナー部材１８に対して上下方向へ移動することが許容され、前述したように、コンソールリッド３０が閉成位置にある場合は前述した前傾姿勢位置(図１)に臨み、該コンソールリッド３０が開放中途位置および開放位置にある場合は後傾姿勢位置(図６、図７)に臨むように揺動するよう構成されている。
【００２７】
揺動規定部４６は、スライドピン(第１支持部)５４と、このスライドピン５４が相対的に摺動して、第１連結部４２をコンソール本体１０の上面に沿って移動させる揺動規定溝(ガイド部)５６とを有している。スライドピン５４は、揺動連結部材４０の長手方向における略中間部分において、インナー部材１８側へ水平に突出した状態で該揺動連結部材４０に固定または形成されている。また揺動規定溝５６は、インナー部材１８の左右両側における前述した揺動支持ピン５０の上方部分において、該インナー部材１８の前後方向(コンソールリッド３０の開閉時の移動方向)に所要長さに延在するよう形成されている。従って、揺動連結部材４０に固定されたスライドピン５４を揺動規定溝５６に摺動自在に係合することで、当該揺動連結部材４０の中間部分が、揺動支持ピン５０を揺動中心としてインナー部材１８に対して前後方向へ移動するよう構成されている。
【００２８】
揺動規定溝５６は、図３に示すように、揺動支持ピン５０を通る垂直基準線Ｌを跨いでコンソール本体１０の前後方向へ延在するよう形成されている。そして揺動規定溝５６は、垂直基準線Ｌを境としてインナー部材１８の前方側に位置する前側溝部(第１のガイド部)５６Ａと、該前側溝部５６Ａに連設されて、垂直基準線Ｌを境として該インナー部材１８の後方側に位置する後側溝部５６Ｂとから構成されている。これら前側溝部５６Ａおよび後側溝部５６Ｂは、垂直基準線Ｌを挟んで対称に延在形成されており、揺動規定溝５６は全体的には中央が下方へ突出した弧状に延在形成されている。すなわち前側溝部５６Ａは、前端部から後側溝部５６Ｂに向け下方傾斜すると共に下方へ若干突出する弧状に延在し、後側溝部５６Ｂは、前側溝部５６Ａとの境界部から後端部に向け上方傾斜すると共に下方へ若干突出する弧状に延在している。
【００２９】
なお、前述した揺動支持ピン５０および揺動規定溝５６は、インナー部材１８の左右側壁に固定および形成されているが、該インナー部材１８の側壁に装着固定される別部材等に形成するようにしてもよい。すなわち、別途準備したプレート部材に、予め揺動支持ピン５０を固定すると共に揺動規定溝５６を形成し、当該プレート部材をインナー部材１８の側壁へ取付ける形態も採用可能である。
【００３０】
前述した各揺動連結部材４０は、図３に示すように、コンソールリッド３０を開閉させる際に、スライドピン５４が揺動規定溝５６に沿って移動すると共に、揺動支持ピン５０が支持ピン案内溝５２に沿って相対的に移動することで、第１連結部４２と揺動支持ピン５０との距離が変位しながら該揺動支持ピン５０を中心として揺動変位するよう構成されている。具体的には、先ず、スライドピン５４が揺動規定溝５６の前端部に位置すると、支持ピン案内溝５２の下端部に揺動支持ピン５０が位置して、揺動連結部材４０はコンソール本体１０に対して前方へ傾斜した前傾姿勢位置に臨む(図１)。そして、前傾姿勢位置に臨んでいる揺動連結部材４０の上端部分(第１連結部４２)をコンソール本体１０の後方へ移動させた場合には、スライドピン５４が揺動規定溝５６の前側溝部５６Ａに沿って後下方へ移動すると共に、支持ピン案内溝５２に沿って揺動支持ピン５０が上方へ相対的に移動し、揺動支持ピン５０とスライドピン５４との距離が漸次小さくなるようになっている。従って揺動連結部材４０は、スライドピン５４が前側溝部５６Ａと後側溝部５６Ｂとの境界部分に移動すると、図３に実線表示するように、該スライドピン５４が揺動支持ピン５０の垂直上方に位置し、コンソール本体１０に対して中間位置である垂直姿勢位置となる。
【００３１】
更に、揺動連結部材４０が垂直姿勢位置に臨んでいる状態において第１連結部４２をコンソール本体１０の後方へ移動させた場合には、スライドピン５４が揺動規定溝５６の後側溝部５６Ｂに沿って後上方へ移動すると共に、支持ピン案内溝５２に沿って揺動支持ピン５０が下方へ相対的に移動し、揺動支持ピン５０とスライドピン５４との距離が漸次大きくなるようになっている。そして揺動連結部材４０は、図３に示すように、スライドピン５４が揺動規定溝５６の後端部に移動すると、支持ピン案内溝５２の下端部に揺動支持ピン５０が位置して、コンソール本体１０に対して後方へ傾斜した後傾姿勢位置に臨むようになる。
【００３２】
そして揺動連結部材４０は、揺動規定溝５６の前側溝部５６Ａを後下がりの弧状に形成してあることにより、前傾姿勢状態から垂直姿勢状態へ姿勢変位する際には、図３および図５に示すように、リッド載置面１４からの上端部分の突出量が一定に保持され、第１連結部４２が該リッド載置面１４に沿って水平後方へ移動するように揺動変位する。また揺動連結部材４０は、揺動規定溝５６の後側溝部５６Ｂを後上がりの弧状に形成してあることにより、垂直姿勢位置から後傾姿勢位置へ姿勢変位する際も、図３および図６に示すように、リッド載置面１４からの上端部分の突出量が一定に保持され、第１連結部４２が該リッド載置面１４に沿って水平後方へ移動するように揺動変位する。
【００３３】
すなわち、第１実施例のリッド開閉機構における各揺動連結部材４０は、スライドピン５４が揺動規定溝５６に沿ってコンソール本体１０の後方へ摺動すると共に、揺動支持ピン５０が支持ピン案内溝５２に沿って相対的に往復摺動することで、第１連結部４２と揺動支持ピン５０との距離を変化させながら前傾姿勢位置から後傾姿勢位置へ揺動変位する。また各揺動連結部材４０は、スライドピン５４が揺動規定溝５６に沿ってコンソール本体１０の前方へ摺動すると共に、揺動支持ピン５０が支持ピン案内溝５２に沿って相対的に往復摺動することで、第１連結部４２と揺動支持ピン５０との距離を変化させながら後傾姿勢位置から前傾姿勢位置へ揺動変位する。なお、揺動規定溝５６が揺動支持ピン５０に臨む垂直基準線Ｌに対して対称に延在していることにより、前傾姿勢位置における揺動連結部材４０の垂直基準線Ｌに対する前傾角度と、後傾姿勢位置における該揺動連結部材４０の該垂直基準線Ｌに対する後傾角度とが同一となるように構成されている(図３参照)。
【００３４】
また、前述したリッド載置面１４は、揺動連結部材４０が第２連結部４４および揺動規定部４６により常に姿勢制御される構成となっているので、コンソールリッド３０の回動規制を図る回動規制部として機能する。すなわちリッド載置面１４は、図１に示すように、コンソールリッド３０が閉成位置にある場合は、リッド部材３２の第１連結部４２より前方部分および後方部分の両部分が該リッド載置面１４に略密着した状態となるため、揺動連結部材４０に対するコンソールリッド３０の両方向の回動を規制する。またリッド載置面１４は、図５に示すように、該コンソールリッド３０が閉成位置と開放中途位置との間にある場合でも、リッド部材３２の第１連結部４２より前方部分および後方部分がリッド載置面１４に当接しているため、揺動連結部材４０に対するコンソールリッド３０の両方向の回動を規制する。そしてリッド載置面１４は、図６に示すように、コンソールリッド３０が開閉中途位置にある場合は、リッド部材３２の第１連結部４２より後方部分が該リッド載置面１４から後方へ外れるため、揺動連結部材４０を中心としたコンソール本体１０の後方側へのコンソールリッド３０の回動を規制しない。すなわちリッド載置面１４は、コンソールリッド３０が閉成位置と開閉中途位置との間にある場合に該コンソールリッド３０の回動を規制するようになっており、揺動連結部材４０が前傾姿勢位置と後傾姿勢位置との間を揺動変位する際に、コンソールリッド３０をコンソール本体１０に対してスライドさせるよう機能する。
【００３５】
そして第１連結部４２には、図２および図４に示すように、揺動連結部材４０とコンソールリッド３０との間に、該コンソールリッド３０を開放位置方向へ付勢する回動付勢手段としての圧縮捻りバネ７６が配設されている。この圧縮捻りバネ７６は、リング部分を前述した回動支持軸６０に装着し、第１アーム部７６Ａを揺動連結部材４０の係止部に係止すると共に、第２アーム部７６Ｂをリッド部材３２の底面に当接した状態で配設されており、常にはコンソールリッド３０を図４における時計方向、すなわち前端部を上方へ跳ね上げる開放位置方向へ回動するよう付勢している。従ってコンソールリッド３０は、揺動連結部材４０が後方傾斜位置へ姿勢変位して第１連結部４２がコンソール本体１０の上部後端部に到来した場合(図６)には、図７に示すように、開閉中途位置から開放位置への回動が許容されるので、圧縮捻りバネ７６の付勢力により開放位置へ自動的に回動するよう構成される。但し、該コンソールリッド３０が閉成位置と開放中途位置との間にある場合(図１、図５)は、リッド載置面１４によりコンソールリッド３０の回動が規制されるため、圧縮捻りバネ７６の付勢力が作用しているものの該コンソールリッド３０は回動しない。
【００３６】
また、図２および図３等に示すように、揺動連結部材４０とコンソール本体１０(インナー部材１８)との間に、揺動付勢手段としての引張コイルバネ７０を配設してある。すなわち、引張コイルバネ７０の一方端部は、揺動連結部材４０の下端部に突設した第１掛止ピン７２に掛止され、該引張コイルバネ７０の他方端部は、コンソール本体１０(インナー部材１８)に固定した揺動支持ピン５０に突設した第２掛止ピン７４に掛止されている。これら第１掛止ピン７２と第２掛止ピン７４との軸間距離は、図３から明らかなように、揺動連結部材４０が垂直基準線Ｌに対して同一角度で傾斜した前傾姿勢状態および後傾姿勢状態において最少となり、該揺動連結部材４０が垂直姿勢状態において最大となる。従って引張コイルバネ７０は、揺動連結部材４０が垂直姿勢状態において引張り量が最大となるから、この垂直姿勢状態において復帰弾力が最大に発現する構造となっている。
【００３７】
従って引張コイルバネ７０は、コンソールリッド３０が閉成位置と開閉中途位置との間において該閉成位置に近接した位置にある場合(図５の状態より左側(前側)にある場合)は、揺動連結部材４０を前傾姿勢位置方向へ揺動するよう付勢するので、該コンソールリッド３０が閉成位置へ移動するのをアシストするようになる。また引張コイルバネ７０は、コンソールリッド３０が閉成位置と開閉中途位置との間において該開閉中途位置に近接した位置にある場合(図５の状態より右側(後側)にある場合)は、揺動連結部材４０を構成姿勢位置方向へ揺動するよう付勢するので、該コンソールリッド３０が開閉中途位置へ移動するのをアシストするようになる。
【００３８】
次に、前述のように構成された第１実施例のコンソールリッドの開閉機構の作用について説明する。
【００３９】
先ず、コンソールリッド３０を閉成位置から開放位置へ開放させる際は、図１および図５〜図７に示すように、該コンソールリッド３０をコンソール本体１０の後方側へ押す(または引く)。すると、スライドピン５４が揺動規定溝５６に沿って後方に移動し、支持ピン案内溝５２に沿って揺動支持ピン５０が相対的に往復移動するため、揺動連結部材４０がコンソール本体１０に対して前傾姿勢位置から後傾姿勢位置へ揺動変位し、第１連結部４２がコンソール本体１０の後方側へ移動するに従い、コンソールリッド３０は該コンソール本体１０の後方側へ移動する。ここでコンソールリッド３０は、揺動連結部材４０が前傾姿勢位置から後傾姿勢位置に揺動変位する過程、すなわち閉成位置から開閉中途位置へ移動する過程では、リッド載置面１４に接触した水平姿勢状態でコンソール本体１０に対して後方側へスライドする(図５)。そしてコンソールリッド３０は、揺動連結部材４０が後傾姿勢位置に停止して開閉中途位置に到来するとリッド載置面１４による回動規制が解除されるので、該コンソール本体１０に対して後方側へ回動する(図６)。
【００４０】
なおコンソールリッド３０は、揺動連結部材４０が垂直姿勢位置から後傾姿勢位置へ移動する過程、すなわち閉成位置と開閉中途位置との中間位置から該開閉中途位置へ移動する過程では、前述した引張コイルバネ７０の付勢力により、該開閉中途位置への移動がアシストされる。そしてコンソールリッド３０は、開閉中途位置に到来すると、前述した圧縮捻りバネ７６の付勢力により、開閉中途位置から開放位置への回動がアシストされる。従ってコンソールリッド３０は、図７に示すように、リッド部材３２の後側部分がコンソール本体１０の後端面に当接した略垂直状態の開放位置まで開放し、物品収納部１２の上部開口部１２Ａを大きく開放するようになる。
【００４１】
一方、コンソールリッド３０を開放位置から閉成位置へ閉成させる際は、図示省略するが、図７に示した開放位置に向け付勢されているコンソールリッド３０を、圧縮捻りバネ７６の付勢力に抗して開放時とは逆方向(図６の反時計方向)へ回動させて開閉中途位置まで手動で到来させた後、コンソール本体１０の前方側へ引く(または押す)。すると、スライドピン５４が揺動規定溝５６に沿って前方に移動し、揺動支持ピン５０が支持ピン案内溝５２に沿って相対的に往復移動するため、揺動連結部材４０がコンソール本体１０に対して後傾姿勢位置から前傾姿勢位置へ揺動変位し、第１連結部４２がコンソール本体１０の前方側へ移動するに従い、コンソールリッド３０はコンソール本体１０の前方側へ移動する。ここでコンソールリッド３０は、揺動連結部材４０が後傾姿勢位置から前傾姿勢位置まで揺動変位する過程、すなわち開閉中途位置から閉成位置へ移動する過程では、リッド載置面１４に接触した水平姿勢状態でコンソール本体１０に対して前方側へスライドする。そしてコンソールリッド３０は、揺動連結部材４０が前傾姿勢位置に到来すると同時に、係止部３９が係止受部２０へ係止されて閉成位置に保持され、物品収納部１２の上部開口部１２Ａを完全に覆蓋する。
【００４２】
なおコンソールリッド３０は、揺動連結部材４０が垂直姿勢位置から前傾姿勢位置へ移動する過程、すなわち開閉中間位置と閉成位置との中間位置から該閉成位置へ移動する過程では、前述した引張コイルバネ７０の付勢力により、該閉成位置への移動がアシストされる。
【００４３】
前述のように構成された第１実施例のコンソールリッドの開閉機構によれば、次のような作用効果を奏する。先ず、揺動連結部材４０が前傾姿勢位置と後傾姿勢位置との間に揺動変位することで、コンソールリッド３０をコンソール本体１０に対しスライドおよび回動させることができる。すなわち、揺動連結部材４０が揺動変位するだけのシンプルな構成でコンソールリッド３０に対してスライドおよび回動を発現するため、部品点数削減および組立工数削減によるコストダウンを図り得る。更に、揺動連結部材４０が帯板状の細長に形成されているため、コンソール本体１０に該揺動連結部材４０を収容するための収容空間部２４を狭小に形成することができ、物品収納部１２の容積を大きく確保することができる。なお、揺動連結部材４０の揺動中心となる第２連結部４４は、揺動支持ピン５０と支持ピン案内溝５２とからなる簡単な構造としたので、揺動連結部材４０が揺動中心を移動させながらスムーズに揺動する。また、揺動連結部材４０の揺動を規定する揺動規定部４６は、スライドピン５４と揺動規定溝５６とからなる簡単な構造としたので、揺動連結部材４０がスムーズに揺動する。
【００４４】
また、揺動連結部材４０とコンソールリッド３０との間に圧縮捻りバネ７６を設けたことにより、コンソールリッド３０の回動が許容される際は、該コンソールリッド３０が開放位置方向へ積極的に回動するため、コンソールリッド３０の開放操作の簡易化が図られる。更に、揺動連結部材４０とコンソール本体１０との間に引張コイルバネ７０を設けたことにより、コンソールリッド３０を開放させる際は、該コンソールリッド３０が開閉中途位置に近づくとスライドがアシストされ、またコンソールリッド３０を閉成する際は、該コンソールリッド３０が閉成位置に近づくとスライドがアシストされ、コンソールリッド３０の開閉操作が容易となる。
【００４５】
図８は、第１実施例の変更例に係るリッド開閉機構を示したフロアコンソールを、コンソールリッドが閉成位置から開放位置へ姿勢変位する状態で示した一部破断側面図である。なお、第１実施例に既出の部材、部位と同一の部材、部位については、同一の符号を付して説明は省略する。この変更例のリッド開閉機構は、揺動連結部材４０の上端部分に回動連結部８２を介してスライド連結部材８０を回動可能に配設し、このスライド連結部材８０の後端部分に第１連結部４２を介してコンソールリッド３０を回動可能に配設した構成としたものである。この構成では、揺動連結部材４０が前傾姿勢位置と後傾姿勢位置との間で揺動変位するに際し、スライド連結部材８０がコンソール本体１０の上面に沿って前後方向へスライドするようになっており、前述した第１実施例のリッド開閉機構と同様の作用効果が得られる。なお、回動連結部８２と第１連結部４２とが間隔Ｓで離間しているため、図８に示すように、コンソール本体１０の後側部分を後方へ延長形成しても、該コンソール本体１０に対するコンソールリッド３０の回動が許容されるようになっている。
【００４６】
(第２実施例)
図９は、第２実施例のリッド開閉機構を設けたフロアコンソールを、コンソールリッドが閉成位置から開閉中途位置へ移動した状態で示した一部破断側面図であり、図１０は、第１連結部４２を示した説明断面図である。また図１１は、第２実施例のリッド開閉機構を設けたフロアコンソールを、コンソールリッドが開閉中途位置から開放位置へ姿勢変位した状態で示した一部破断側面図であり、図１２は、第２実施例のリッド開閉機構を設けたフロアコンソールを、コンソールリッドを開放位置から更に回動させた状態で示した一部破断側面図である。
【００４７】
第２実施例のリッド開閉機構は、前述した第１実施例のリッド開閉機構と比較して、コンソール本体１０の上部後端部の形状を丸みを帯びた曲面形状とする一方、第１連結部４２においては、第１実施例で例示した圧縮捻りバネ７６を省略して、揺動連結部材４０とコンソールリッド３０との間に公知のフリクション軸受部材(摩擦支持手段)６４を設けた構成となっている。すなわち、揺動連結部材４０、第２連結部４４および揺動規定部４６に関しては第１実施例からの変更はないので、第１実施例のリッド開閉機構と異なる部分を中心として説明し、同一部材、部分に対しては、同一の符号を付して説明は省略する。
【００４８】
コンソール本体１０は、その上部後端部に曲面形状の切欠部８４が形成されており、これに伴ってリッド載置面１４はコンソール本体１０の後端まで延在形成されていない。従って、揺動規定部４６の揺動規定溝５６において、前側溝部(第１のガイド部)５６Ａに連設される後側溝部(第２のガイド部)５６Ｂは、後方に向けてコンソール本体１０の上面へ近接するように延在しており、スライドピン５４が該後側溝部５６Ｂに沿って移動するに際し、第１連結部４２をコンソール本体１０から離間させながら移動するように機能する。従ってコンソール本体１０は、図１１に２点鎖線で示すように、コンソールリッド３０が後方へ沈み込みながら回動することを許容する構造となっている。
【００４９】
第１連結部４２は、図１０(ａ)および図１０(ｂ)に示すように、左右の両揺動連結部材４０,４０間に架設された回動支持軸６０と、リッド部材３２の裏面に固定されて該回動支持軸６０が挿通した前述のフリクション軸受部材６４とから構成されている。回動支持軸６０は、フリクション軸受部材６４に挿通した状態で、両端部を両揺動連結部材４０,４０に回動不能に固定されている。フリクション軸受部材６４は、回動支持軸６０に対して適度の締付力を以て装着されていて、該回動支持軸６０との間で所定の摩擦力を発現する構造となっており、この摩擦力により揺動連結部材４０に対してコンソールリッド３０を回動可能に姿勢保持させるよう機能する。ここで、本願が規定する所定の摩擦力とは、回動支持軸６０を中心としてコンソールリッド３０を回転させようとする外力が該コンソールリッド３０に加わらない場合は、該コンソールリッド３０は揺動連結部材４０に対して姿勢保持され、外力が加わった場合は揺動連結部材４０に対する該コンソールリッド３０の姿勢変位を許容する程度の摩擦力である。すなわちフリクション軸受部材６４は、コンソールリッド３０がどのような姿勢状態にあっても、該コンソールリッド３０が自重によって回動支持軸６０に対して回動することがないように保持し得る。そしてフリクション軸受部材６４は、乗員がコンソールリッド３０を手で回動させようした場合には、回動支持軸６０を中心とした該コンソールリッド３０の回動を許容する。
【００５０】
従ってコンソールリッド３０は、揺動連結部材４０が前傾姿勢位置と垂直姿勢位置との間で揺動変位する際は、図９に示すように、リッド部材３２がリッド載置面１４に接触してコンソール本体１０に対する回動が規制されていることで、揺動変位する該揺動連結部材４０に対しては相対的に回転するようになり、コンソール本体１０の上面に沿ってスライドする。そしてコンソールリッド３０は、揺動連結部材４０が垂直姿勢位置と後傾姿勢位置との間で揺動変位する際は、図１１に示すように、リッド部材３２がリッド載置面１４から離間することでコンソール本体１０に対する回動が許容され、かつフリクション軸受部材６４による摩擦力で揺動連結部材４０に対して姿勢保持されるので、該揺動連結部材４０の揺動変位に伴ってコンソール本体１０に対して回動する。
【００５１】
すなわち、第２実施例のリッド開閉機構では、スライドから回動または回動からスライドへの移行ポイントである開閉中途位置を、揺動連結部材４０が垂直姿勢位置となる状態としたことで、該揺動連結部材４０が前傾姿勢位置と垂直姿勢位置との間にある場合は、コンソールリッド３０がコンソール本体１０に対してスライドする。また、揺動連結部材４０が垂直姿勢位置と後傾姿勢位置との間にある場合は、コンソールリッド３０がコンソール本体１０に対して水平へ移動しながら回動するようになる。
【００５２】
そしてコンソールリッド３０は、揺動連結部材４０が後傾姿勢位置にある場合(図１１)には、リッド部材３２がコンソール本体１０から離間して回動が許容されているため、図１２に実線で示すように、該コンソールリッド３０の前端部分を上方へ引くと、回動支持軸６０に対してフリクション軸受部材６４が回動することで、リッド部材３２の後側部分がコンソール本体１０の後端面に当接した略垂直状態の開放位置まで回動し、物品収納部１２の上部開口部１２Ａを大きく開放するようになる。またコンソールリッド３０は、揺動連結部材４０が後傾姿勢位置にある場合(図１１)には、図１２に１点鎖線で示すように、該コンソールリッド３０の前端部分を下方へ押すと、リッド部材３２の前側部分がコンソール本体１０の上面(リッド載置面１４)に当接した水平状態まで回動し、物品収納部１２の上部開口部１２Ａの後側半分を閉成するようになる。更にコンソールリッド３０は、揺動連結部材４０が後傾姿勢位置にある場合(図１１)には、フリクション軸受部材６４の摩擦力により、前述した略垂直状態と水平状態との間の任意の角度位置において停止させて保持することが可能である。
【００５３】
なお、コンソール本体１０と揺動連結部材４０との間に設けた引張コイルバネ(揺動付勢手段)７０は、コンソールリッド３０が閉成位置と開閉中途位置との間にある場合は揺動連結部材４０を前傾姿勢位置方向へ揺動するよう付勢し、コンソールリッド３０が開閉中途位置と開放位置との間にある場合は揺動連結部材４０を後傾姿勢位置方向へ揺動するように付勢するべく機能する。従って、コンソールリッド３０を開放させる際は、揺動連結部材４０が垂直姿勢位置から後傾姿勢位置へ移動する過程、すなわちコンソールリッド３０が開閉中途位置から開放位置へ移動する過程において、引張コイルバネ７０の付勢力により該コンソールリッド３０の回動がアシストされる。また、コンソールリッド３０を閉成させる際は、揺動連結部材４０が垂直姿勢位置から前傾姿勢位置へ移動する過程、すなわちコンソールリッド３０が開閉中途位置から閉成位置へ移動する過程において、引張コイルバネ７０の付勢力により該コンソールリッド３０のスライドがアシストされる。従って、コンソールリッド３０の開閉操作の容易化が図られる。
【００５４】
従って、第２実施例のコンソールリッドの開閉機構においても、前述した第１実施例のコンソールリッドの開閉機構と同様の作用効果が得られる。しかも、フリクション軸受部材６４を配設したことにより、揺動連結部材４０が後傾姿勢位置にある場合には、該フリクション軸受部材６４の摩擦力により、略垂直状態と水平状態との間の任意の角度位置にコンソールリッド３０を停止させて保持し得る作用効果もある。
【００５５】
なお、第１連結部４２に、前述したフリクション軸受部材６４に代えて、第１実施例で例示した回動付勢手段である圧縮捻りバネ７６を配設するようにしてもよい。このように圧縮捻りバネ７６を装着した場合には、揺動連結部材４０が垂直姿勢位置から後傾姿勢位置に揺動変位する際に、コンソールリッド３０の回動がアシストされるようになり、コンソールリッド３０の開閉操作の容易化が期待できる。
【００５６】
(第３実施例)
図１３は、第３実施例のリッド開閉機構を設けたフロアコンソールを、コンソールリッドが閉成位置に臨んだ状態で示した一部破断側面図であり、図１４は、第２連結部および揺動規制部を示した説明断面図である。また図１５は、第３実施例のリッド開閉機構を設けたフロアコンソールを、コンソールリッドが閉成位置から開閉中途位置に姿勢変位する途中状態で示した一部破断側面図であり、図１６は、第３実施例のリッド開閉機構を設けたフロアコンソールを、コンソールリッドが開閉中途位置から開放位置へ姿勢変位した状態で示した一部破断側面図であり、図１７は、コンソールリッドを開放位置から更に回動した状態で示した一部破断側面図である。
【００５７】
第３実施例のリッド開閉機構は、前述した第１実施例のリッド開閉機構と比較して、揺動規定部４６における揺動規定溝５６の後側溝部(第２のガイド部)５６Ｂの形態を変更すると共に、第１連結部４２においては、前述した第２実施例と同様に、揺動連結部材４０とコンソールリッド３０との間に公知のフリクション軸受部材(摩擦支持手段)６４を設けた構成となっている。すなわち、揺動連結部材４０、第２連結部４４に関しては、第１実施例からの変更はない。従って、第１実施例のリッド開閉機構と異なる部分を中心として説明し、同一部材、部分に対しては、同一の符号を付して説明は省略する。
【００５８】
揺動規定部４６の揺動規定溝５６は、図１４に示すように、垂直基準線Ｌを境としてインナー部材１８の前方側に位置する前側溝部(第１のガイド部)５６Ａと、該前側溝部５６Ａに連設されて垂直基準線Ｌを境として該インナー部材１８の後方側に位置する後側溝部５６Ｂとから構成されている。前側溝部５６Ａは、基本的には前述した第１実施例および第２実施例と同一で、前端部から後側溝部５６Ｂに向け下方傾斜すると共に下方へ若干突出する弧状に延在されている。そして後側溝部５６Ｂは、前側溝部５６Ａとの境界部から後端部に向け上方へ突出した弧状に延在している。すなわち後側溝部５６Ｂは、前側溝部５６Ａよりもコンソール本体１０の上面へ近接するように延在しており、スライドピン５４が該後側溝部５６Ｂに沿って移動するに際し、第１連結部４２をコンソール本体１０から上方へ離間させながら移動するように機能する。
【００５９】
従って揺動連結部材４０は、揺動規定溝５６の前側溝部５６Ａを後下がりの弧状に形成してあることにより、前傾姿勢状態から垂直姿勢状態へ姿勢変位する際には、図１４および図１５に示すように、リッド載置面１４からの上端部分の突出量が一定に保持され、第１連結部４２が該リッド載置面１４に沿って水平後方へ移動するように揺動変位する。また揺動連結部材４０は、揺動規定溝５６の後側溝部５６Ｂを上方へ突出した弧状に形成してあることにより、垂直姿勢位置から後傾姿勢位置へ姿勢変位する際には、図１４および図１６に示すように、リッド載置面１４からの上端部分の突出量が一定に保持され、第１連結部４２が該リッド載置面１４から上方へ離間しながら移動するように揺動変位する。従ってコンソール本体１０は、図１６に２点鎖線で示すように、コンソール本体１０の上部後端部が角張った意匠形状に形成してあっても、コンソールリッド３０が回動するに際してコンソール本体１０とリッド部材３２とが干渉しないので、該コンソールリッド３０が回動することを許容する構造となっている。
【００６０】
第１連結部４２は、第２実施例の第１連結部４２と同じ構成となっており、図１０に示すと共に前述したように、左右の両揺動連結部材４０,４０間に架設された回動支持軸６０と、リッド部材３２の裏面に固定された前述のフリクション軸受部材６４とから構成されている。このフリクション軸受部材６４は、回動支持軸６０に対して適度の締付力を以て装着されていて、該回動支持軸６０との間で所定の摩擦力(第２実施例で説明した条件による摩擦力)を発現する構造となっており、第２実施例と同じ機能を発揮する。
【００６１】
従って、第３実施例のリッド開閉機構では、スライドから回動または回動からスライドへの移行ポイントである開閉中途位置を、揺動連結部材４０が垂直姿勢位置となる状態としてあるので、該揺動連結部材４０が前傾姿勢位置と垂直姿勢位置との間にある場合は、コンソールリッド３０がコンソール本体１０に対してスライドする。また、揺動連結部材４０が垂直姿勢位置と後傾姿勢位置との間にある場合は、コンソールリッド３０がコンソール本体１０に対して適宜上方へ移動しながら回動するようになる。
【００６２】
そしてコンソールリッド３０は、揺動連結部材４０が後傾姿勢位置にある場合(図１６)には、コンソール本体１０から離間して回動が許容されているため、図１７に実線で示すように、該コンソールリッド３０の前端部分を上方へ引くと、回動支持軸６０に対してフリクション軸受部材６４が回動することで、リッド部材３２の後側部分がコンソール本体１０の後端面に当接した略垂直状態の開放位置まで回動し、物品収納部１２の上部開口部１２Ａを大きく開放するようになる。またコンソールリッド３０は、揺動連結部材４０が後傾姿勢位置にある場合(図１６)には、図１７に１点鎖線で示すように、該コンソールリッド３０の前端部分を下方へ押すと、リッド部材３２の前側部分がコンソール本体１０の上面(リッド載置面１４)に当接した水平状態まで回動し、物品収納部１２の上部開口部１２Ａの後側半分を閉成するようになる。更にコンソールリッド３０は、揺動連結部材４０が後傾姿勢位置にある場合(図１６)には、フリクション軸受部材６４の摩擦力により、前述した略垂直状態と水平状態との間の任意の角度位置において停止させて保持することが可能である。
【００６３】
なお、コンソール本体１０と揺動連結部材４０との間に設けた引張コイルバネ(揺動付勢手段)７０は、前述した第２実施例の場合と同様に機能し、コンソールリッド３０が閉成位置と開閉中途位置との間にある場合は揺動連結部材４０を前傾姿勢位置方向へ揺動するよう付勢し、コンソールリッド３０が開閉中途位置と開放位置との間にある場合は揺動連結部材４０を後傾姿勢位置方向へ揺動するように付勢するべく機能する。従って、コンソールリッド３０を開放させる際は、揺動連結部材４０が垂直姿勢位置から後傾姿勢位置へ移動する過程、すなわちコンソールリッド３０が開閉中途位置から開放位置へ移動する過程で、引張コイルバネ７０の付勢力により該コンソールリッド３０の回動がアシストされる。また、コンソールリッド３０を閉成させる際は、揺動連結部材４０が垂直姿勢位置から前傾姿勢位置へ移動する過程、すなわちコンソールリッド３０が開閉中途位置から閉成位置へ移動する過程で、引張コイルバネ７０の付勢力により該コンソールリッド３０のスライドがアシストされる。従って、コンソールリッド３０の開閉操作の容易化が図られる。
【００６４】
従って、第３実施例のコンソールリッドの開閉機構においても、前述した第２実施例ののコンソールリッドの開閉機構と同様の作用効果が得られる。
【００６５】
なお、第１連結部４２に、前述したフリクション軸受部材６４に代えて、第１実施例で例示した回動付勢手段である圧縮捻りバネ７６を配設するようにしてもよい。このように圧縮捻りバネ７６を装着した場合には、揺動連結部材４０が垂直姿勢位置から後傾姿勢位置に揺動変位する際に、コンソールリッド３０の回動がアシストされるようになり、コンソールリッド３０の開閉操作の容易化が期待できる。
【００６６】
また、前述した第１実施例または第１実施例の変更例に係るコンソールリッドの開閉機構においては、第１連結部４２に設けた回動付勢手段である圧縮捻りバネ７６に代えて、第２実施例および第３実施例で例示した摩擦支持手段であるフリクション軸受部材６４を配設するようにしてもよい。このように、第１実施例または第１実施例の変更例に係るコンソールリッドの開閉機構にフリクション軸受部材６４を配設した場合には、揺動連結部材４０が後傾姿勢位置に変位して、コンソールリッド３０が図６に示したコンソール本体１０の後方までスライド変位しても、該コンソールリッド３０は水平状態に保持される。そしてコンソールリッド３０は、手動で回動させることで、水平状態と略垂直状態との間で回動可能となると共に、適宜位置で停止させて保持することが可能となる。
【００６７】
また、前述した各実施例では、揺動支持ピン５０をコンソール本体１０(インナー部材１８)に設けると共に支持ピン案内溝５２を揺動連結部材４０に設けた形態を例示したが、図１８に示すように、揺動支持ピン５０を揺動連結部材４０に突設すると共に、支持ピン案内溝５２をインナー部材１８に設けた形態としてもよい。図１８の場合は、支持ピン案内溝５２を垂直方向に所要の長さに形成してある。そして引張コイルバネ７０は、一方端部が揺動連結部材４０の下端部に突設した第１掛止ピン７２に掛止され、他方端部はインナー部材１８に取付けたブラケット８６に立設した第２掛止ピン７４に掛止されている。なお、スライドピン５４および揺動規定溝５６は、第３実施例と同一のものを例示しているが、第１実施例または第２実施例に例示したものでもよい。
【００６８】
また、図示省略するが、スライドピン５４をコンソール本体１０(インナー部材１８)に突設すると共に、揺動規定溝５６を揺動連結部材４０に設けることも可能である。但し、揺動連結部材４０は、前述した帯板状ではなく、揺動規定溝５６が形成され得る形状、サイズとする必要がある。
【００６９】
一方、リッド開閉機構は、図１８のように構成しても、コンソールリッド３０の開閉時に、スライドピン５４が揺動規定溝５６に沿って一方向(前方向または後方向)へ摺動し、揺動支持ピン５０が支持ピン案内溝５２に沿って往復摺動するので、揺動連結部材４０が前傾姿勢位置と後傾姿勢位置との間を揺動中心が移動しながら揺動変位するようになる。従って、揺動連結部材４０の揺動変位に伴い、コンソールリッド３０をコンソール本体１０の上部に沿って姿勢変位させることができ、前述した実施例と同等の作用効果が得られる。
【００７０】
また、前述した各実施例では、引張コイルバネ７０を取付ける第２掛止ピン７４を、インナー部材１８に立設した揺動支持ピン５０に設けた場合を例示したが、この第２掛止ピン７４は、図１８に示したように、該インナー部材１８に取付けたブラケット８６に立設した構成としてもよい。このようにインナー部材１８に取付けたブラケット８６に第２掛止ピン７４を設けると、第２掛止ピン７４の配設位置を自由に設定することが可能となる。例えば図１９に示した位置に、すなわち垂直基準線Ｌより後方側に第２掛止ピン７４を配設すれば、揺動連結部材４０が図１９の実線の姿勢に揺動変位した際に引張コイルバネ７０が最大に伸長するようになり、該揺動連結部材４０がこれより前方に位置していればコンソールリッド３０が閉成位置方向へ移動するように付勢し、該揺動連結部材４０がこれより後方に位置していればコンソールリッド３０が開放位置方向へ移動するよう付勢するようになり、コンソールリッド３０を閉成位置方向へ付勢する領域が広くなる。また、図示省略するが、第２掛止ピン７４を垂直基準線Ｌより前方側に配設すれば、コンソールリッド３０を開放位置方向へ付勢する領域を広くすることができる。
【００７１】
なお、前述した各実施例では、コンソールリッド３０がコンソール本体１０の後方側へ開放する形態のフロアコンソールを例示したが、本願が対象とするフロアコンソールは、コンソールリッド３０がコンソール本体１０の前方側へ開放する形態や、コンソールリッド３０がコンソール本体１０の側方側(右側または左側)へ開放する形態も含まれる。
【産業上の利用可能性】
【００７２】
本発明に係るコンソールリッドの開閉機構は、物品収納部を画成したコンソール本体と、コンソール本体の上部に配設されて物品収納部を開閉するコンソールリッドとを備え、コンソールリッドが、物品収納部を閉成する閉成位置と、閉成位置からコンソール本体に沿ってスライドした開閉中途位置と、開閉中途位置からコンソール本体に対し回動して前記物品収納部を開放する開放位置との間で変位するよう構成したもので、車両乗員室内のフロアに設置されるフロアコンソール等に好適に実施可能である。
【図面の簡単な説明】
【００７３】
【図１】第１実施例のリッド開閉機構を設けたフロアコンソールを、コンソールリッドが閉成位置に臨んだ状態で示した一部破断側面図。
【図２】図５のII−II線断面図。
【図３】リッド開閉機構における揺動連結部材の揺動態様を規定する第２連結部および揺動規定部を示した説明図。
【図４】第１連結部を示した説明断面図。
【図５】第１実施例のリッド開閉機構を設けたフロアコンソールを、コンソールリッドが閉成位置から開閉中途位置に姿勢変位する途中状態で示した一部破断側面図。
【図６】第１実施例のリッド開閉機構を設けたフロアコンソールを、コンソールリッドが開閉中途位置へ姿勢変位した状態で示した一部破断側面図。
【図７】第１実施例のリッド開閉機構を設けたフロアコンソールを、コンソールリッドが開放中途位置から開放位置へ姿勢変位した状態で示した一部破断側面図。
【図８】第１実施例の変更例に係るリッド開閉機構を示したフロアコンソールを、コンソールリッドが閉成位置から開放位置へ姿勢変位する状態で示した一部破断側面図。
【図９】第２実施例のリッド開閉機構を設けたフロアコンソールを、コンソールリッドが閉成位置から開閉中途位置へ移動した状態で示した一部破断側面図。
【図１０】第１連結部および回動規制手段を示した説明断面図。
【図１１】第２実施例のリッド開閉機構を設けたフロアコンソールを、コンソールリッドが開閉中途位置から開放位置へ姿勢変位した状態で示した一部破断側面図。
【図１２】第２実施例のリッド開閉機構を設けたフロアコンソールを、コンソールリッドを開放位置から更に回動させた状態で示した一部破断側面図。
【図１３】第３実施例のリッド開閉機構を設けたフロアコンソールを、コンソールリッドが閉成位置に臨んだ状態で示した一部破断側面図。
【図１４】第２連結部および揺動規制部を示した説明図。
【図１５】第３実施例のリッド開閉機構を設けたフロアコンソールを、コンソールリッドが閉成位置から開閉中途位置に姿勢変位する途中状態で示した一部破断側面図。
【図１６】第３実施例のリッド開閉機構を設けたフロアコンソールを、コンソールリッドが開閉中途位置から開放位置へ姿勢変位した状態で示した一部破断側面図。
【図１７】第３実施例のリッド開閉機構を設けたフロアコンソールを、コンソールリッドを開放位置から更に回動した状態で示した一部破断側面図。
【図１８】第２連結部の形態を変更したリッド開放構造を示した説明図。
【図１９】引張コイルバネの別配設例を示した説明図。
【符号の説明】
【００７４】
１０ コンソール本体
１２ 物品収納部
１４ リッド載置面(回動規制部)
３０ コンソールリッド
４０ 揺動連結部材(連結部材)
４２ 第１連結部
４４ 第２連結部
４６ 揺動規定部
５０ 揺動支持ピン(第２支持部)
５２ 支持ピン案内溝(スライド溝部)
５４ スライドピン(第１支持部)
５６Ａ 前側溝部(第１のガイド部)
５６Ｂ 後側溝部(第２のガイド部)
６４ フリクション軸受部材(摩擦支持手段)
７０ 引張コイルバネ(揺動付勢手段)
７６ 圧縮捻りバネ(回動付勢手段)
【図１】
2008137397.tif 000003
【図２】
2008137397.tif 000004
【図３】
2008137397.tif 000005
【図４】
2008137397.tif 000006
【図５】
2008137397.tif 000007
【図６】
2008137397.tif 000008
【図７】
2008137397.tif 000009
【図８】
2008137397.tif 000010
【図９】
2008137397.tif 000011
【図１０】
2008137397.tif 000012
【図１１】
2008137397.tif 000013
【図１２】
2008137397.tif 000014
【図１３】
2008137397.tif 000015
【図１４】
2008137397.tif 000016
【図１５】
2008137397.tif 000017
【図１６】
2008137397.tif 000018
【図１７】
2008137397.tif 000019
【図１８】
2008137397.tif 000020
【図１９】
2008137397.tif 000021